【手続補正書】
【提出日】令和2年10月9日(2020.10.9)
【手続補正１】
【補正対象書類名】明細書
【補正対象項目名】０１５４
【補正方法】変更
【補正の内容】
【０１５４】
様々な実施例を説明してきた。これらの及び他の実施例は、以下の特許請求の範囲内である。なお、例示的実施形態について以下に付記する。
［１］
１つ以上の電子センサを備える自己巻き取り式命綱（ＳＲＬ）であって、前記１つ以上の電子センサは、前記ＳＲＬの動作を示すデータを生成するように構成されている、自己巻き取り式命綱と、
１つ以上のコンピュータプロセッサ及びメモリを備える少なくとも１つのコンピューティングデバイスと、を備えるシステムであって、
前記メモリは、前記１つ以上のコンピュータプロセッサによって実行されると、前記１つ以上のコンピュータプロセッサに、
前記ＳＲＬの前記動作を示すデータを受信させる命令と、
前記データを前記ＳＲＬに関連する安全イベントの発生の可能性を予測する安全モデルに適用させる命令と、
前記安全イベントの前記発生の前記可能性に少なくとも部分的に基づいて１つ以上の動作を行わせる命令と、を含むシステム。
［２］
前記１つ以上の動作を行うために、前記メモリは、前記１つ以上のコンピュータプロセッサによって実行されると、前記１つ以上のコンピュータプロセッサに、
前記安全イベントの前記発生の前記可能性の予測に応じたアラートを生成させる命令と、
前記アラートを前記ＳＲＬへ送信させる命令と、を含み、前記ＳＲＬは、前記アラートを受信し、前記アラートの受信に応じた出力を生成するように構成されている、［１］に記載のシステム。
［３］
前記ＳＲＬ及び前記少なくとも１つのコンピューティングデバイスと通信するように構成されたハブを更に備え、前記ＳＲＬは、使用データを前記ハブに送信するように構成されており、前記ハブは、前記使用データを前記少なくとも１つのコンピューティングデバイスに送信するように構成されている、［１］に記載のシステム。
［４］
前記少なくとも１つのコンピューティングデバイスは、前記アラートを前記ハブを介して前記ＳＲＬに送信するよう構成されている、［１］に記載のシステム。
［５］
前記少なくとも１つのコンピューティングデバイスは、前記安全モデルに基づいて規則のセットを生成し、前記ＳＲＬと通信するように構成されたハブに前記規則を送信するように更に構成されており、前記ハブは、前記規則のセットに基づいて、第２のアラートを生成するように構成されている、［１］に記載のシステム。
［６］
自己巻き取り式命綱であって、
アンカーに連結されるように構成された第１のコネクタと、
前記命綱のユーザに連結されるように構成された第２のコネクタと、
ＳＲＬの動作を示す使用データを生成するように構成された１つ以上の電子センサと、
を備える自己巻き取り式命綱。
［７］
前記ＳＲＬの前記動作を示す前記データを第２のデバイスに無線送信するように構成された通信ユニットを更に備える、［６］に記載の自己巻き取り式命綱。
［８］
前記通信ユニットは、前記ＳＲＬに関連する安全イベントの発生の可能性を予測するための１つ以上の安全モデルへの前記使用データの適用に基づくアラートデータを受信するように更に構成されており、前記ＳＲＬは、前記アラートデータに基づく出力を生成するように構成された出力ユニットを更に備える、［７］に記載の自己巻き取り式命綱。
［９］
前記通信ユニットは、前記ＳＲＬに関連する安全イベントの発生の可能性を予測するための安全モデルに基づく規則のセットを受信するように更に構成されており、前記デバイスは、前記規則を格納するように構成されたメモリと、前記使用データと前記規則との比較に基づき出力を生成するように構成された出力ユニットと、を更に備える、［７］に記載の自己巻き取り式命綱。
［１０］
前記１つ以上のセンサは、伸長センサ、張力センサ、加速度計、位置センサ、又は高度計の少なくとも１つを備える、［６］に記載の自己巻き取り式命綱。
［１１］
前記ＳＲＬが位置する環境を示すデータを生成するように構成された１つ以上の環境センサを更に備える、［６］に記載の自己巻き取り式命綱。
［１２］
前記１つ以上の環境センサは、温度、気圧、湿度、粒子状物質含有量、又は周辺ノイズの少なくとも１つを示すデータを出力するように構成されている、［１１］に記載の自己巻き取り式命綱。
［１３］
１つ以上のコンピュータプロセッサと、メモリと、を備えるコンピューティングデバイスであって、
前記メモリは、前記１つ以上のコンピュータプロセッサによって実行されると、前記１つ以上のコンピュータプロセッサに、少なくとも１つの自己巻き取り式命綱（ＳＲＬ）から前記少なくとも１つのＳＲＬの動作を示すデータを含む使用データを取得させる命令と、
前記使用データを前記少なくとも１つのＳＲＬのユーザの活動を特徴付ける安全モデルに適用させる命令と、
前記安全モデルへの前記使用データの適用に基づいて、前記少なくとも１つのＳＲＬに関連する安全イベントの発生の可能性を予測させる命令と、
前記安全イベントの前記発生の前記可能性の予測に応じた出力を生成させる命令と、を含む、コンピューティングデバイス。
［１４］
前記安全モデルは、前記少なくとも１つのＳＲＬと同様の特性を有する複数のＳＲＬからの既知の安全イベントの過去データから構築されている、［１３］に記載のコンピューティングデバイス。
［１５］
前記メモリは、前記１つ以上のコンピュータプロセッサによって実行されると、前記１つ以上のコンピュータプロセッサに、前記少なくとも１つのＳＲＬからの前記使用データに基づいて前記安全モデルを更新させる命令を含む、［１３］に記載のコンピューティングデバイス。
［１６］
前記メモリは、前記１つ以上のコンピュータプロセッサによって実行されると、前記１つ以上のコンピュータプロセッサに、前記少なくとも１つのＳＲＬと共に使用されるＳＲＬ以外の１つ以上のデバイスからの既知の安全イベントのデータから前記安全モデルを構築させる命令を含む、［１３］に記載のコンピューティングデバイス。
［１７］
前記メモリは、前記１つ以上のコンピュータプロセッサによって実行されると、前記１つ以上のコンピュータプロセッサに、前記少なくとも１つのＳＲＬの構成、前記少なくとも１つのＳＲＬのユーザ、前記少なくとも１つのＳＲＬが位置する環境、又は前記少なくとも１つのＳＲＬと共に使用される１つ以上の他のデバイスのうちの少なくとも１つに基づいて前記安全モデルを選択させる命令を含む、［１３］に記載のコンピューティングデバイス。
［１８］
前記使用データは、ある期間中の前記少なくとも１つのＳＲＬのユーザの活動を表し、前記使用データは、前記ＳＲＬの命綱の伸長及び巻き取り、前記少なくとも１つのＳＲＬの前記命綱に加えられた力、前記少なくとも１つのＳＲＬの加速度、前記少なくとも１つのＳＲＬの位置、又は前記少なくとも１つのＳＲＬの高度のうちの少なくとも１つを示すデータを含む、［１３］に記載のコンピューティングデバイス。
［１９］
前記使用データは、前記少なくとも１つのＳＲＬが位置する環境に関連する環境データを含み、前記安全イベントの前記発生の前記可能性は、前記ＳＲＬが位置する前記環境に基づく、［１３］に記載のコンピューティングデバイス。
［２０］
前記使用データを前記ユーザの活動を特徴付ける前記安全モデルに適用するために、前記メモリは、前記１つ以上のコンピュータプロセッサによって実行されると、前記１つ以上のコンピュータプロセッサに、前記使用データを複数のＳＲＬに関連する既知の安全イベントの訓練データから構築された安全モデルに適用させる命令を含む、［１３］に記載のコンピューティングデバイス。
［２１］
前記安全イベントの前記発生の前記可能性を予測するために、前記メモリは、前記１つ以上のコンピュータプロセッサによって実行されると、前記１つ以上のコンピュータプロセッサに、前記安全モデルによって特徴付けられた既知の安全な行動に対する前記少なくとも１つのＳＲＬのユーザの異常な行動を特定させる命令を含む、［１３］に記載のコンピューティングデバイス。
［２２］
前記安全イベントの前記発生の前記可能性を予測するために、前記メモリは、前記１つ以上のコンピュータプロセッサによって実行されると、前記１つ以上のコンピュータプロセッサに、前記少なくとも１つのＳＲＬが展開されている作業環境内で安全イベントの異常な数に関連する領域を特定させる命令を含む、［１３］に記載のコンピューティングデバイス。
［２３］
前記使用データを前記安全モデルに適用するために、前記メモリは、前記１つ以上のコンピュータプロセッサによって実行されると、前記１つ以上のコンピュータプロセッサに、前記使用データを前記少なくとも１つのＳＲＬのユーザの速度を特徴付ける安全モデルに適用させる命令を含み、
前記安全イベントの前記発生の前記可能性を予測するために、前記メモリは、前記１つ以上のコンピュータプロセッサによって実行されると、前記１つ以上のコンピュータプロセッサに、ある期間にわたる前記ユーザの前記速度が、前記期間にわたって安全活動に関連する速度を超えていると決定させる命令を含む、［１３］に記載のコンピューティングデバイス。
［２４］
前記使用データを前記安全モデルに適用するために、前記メモリは、前記１つ以上のコンピュータプロセッサによって実行されると、前記１つ以上のコンピュータプロセッサに、前記使用データを前記少なくとも１つのＳＲＬのユーザによって前記少なくとも１つのＳＲＬの命綱に加えられる力を特徴付ける安全モデルに適用させる命令を含み、
前記安全イベントの前記発生の前記可能性を予測するために、前記メモリは、前記１つ以上のコンピュータプロセッサによって実行されると、前記１つ以上のコンピュータプロセッサに、ある期間にわたり加えられる前記力が、前記期間にわたって安全活動に関連する力を超えていると決定させる命令を含む、［１３］に記載のコンピューティングデバイス。
［２５］
前記使用データを前記安全モデルに適用するために、前記メモリは、前記１つ以上のコンピュータプロセッサによって実行されると、前記１つ以上のコンピュータプロセッサに、前記使用データを前記少なくとも１つのＳＲＬの命綱の伸長長さを特徴付ける安全モデルに適用させる命令を含み、
前記安全イベントの前記発生の前記可能性を予測するために、前記メモリは、前記１つ以上のコンピュータプロセッサによって実行されると、前記１つ以上のコンピュータプロセッサに、前記伸長長さが、ある期間にわたって安全活動に関連する伸長長さを超えているか又はそれ未満であると決定させる命令を含む、［１３］に記載のコンピューティングデバイス。
［２６］
前記メモリは、前記１つ以上のコンピュータプロセッサによって実行されると、前記１つ以上のコンピュータプロセッサに、安全イベントである可能性があることを示すアラートデータを生成することを含む前記出力を生成させる命令を含む、［１３］に記載のコンピューティングデバイス。
［２７］
前記メモリは、前記１つ以上のコンピュータプロセッサによって実行されると、前記１つ以上のコンピュータプロセッサに、前記使用データに基づいてユーザインタフェースを生成させる命令を含み、
前記ユーザインタフェースは、前記少なくとも１つのＳＲＬの動作、前記少なくとも１つのＳＲＬに関連する安全イベント、又は前記少なくとも１つのＳＲＬが展開されており、少なくとも１つの安全イベントが発生したか又は発生する可能性がある、地理的領域のうちの少なくとも１つを示す、［１３］に記載のコンピューティングデバイス。
【手続補正２】
【補正対象書類名】特許請求の範囲
【補正対象項目名】全文
【補正方法】変更
【補正の内容】
【特許請求の範囲】
【請求項１】
１つ以上の電子センサを備える自己巻き取り式命綱（ＳＲＬ）であって、前記１つ以上の電子センサは、前記ＳＲＬの動作を示すデータを生成するように構成されている、自己巻き取り式命綱と、
１つ以上のコンピュータプロセッサ及びメモリを備える少なくとも１つのコンピューティングデバイスと、を備えるシステムであって、
前記メモリは、前記１つ以上のコンピュータプロセッサによって実行されると、前記１つ以上のコンピュータプロセッサに、
前記ＳＲＬの前記動作を示すデータを受信させる命令と、
前記データを前記ＳＲＬに関連する安全イベントの発生の可能性を予測する安全モデルに適用させる命令と、
前記安全イベントの前記発生の前記可能性に少なくとも部分的に基づいて１つ以上の動作を行わせる命令と、を含むシステム。
【請求項２】
前記１つ以上の動作を行うために、前記メモリは、前記１つ以上のコンピュータプロセッサによって実行されると、前記１つ以上のコンピュータプロセッサに、
前記安全イベントの前記発生の前記可能性の予測に応じたアラートを生成させる命令と、
前記アラートを前記ＳＲＬへ送信させる命令と、を含み、前記ＳＲＬは、前記アラートを受信し、前記アラートの受信に応じた出力を生成するように構成されている、請求項１に記載のシステム。
【請求項３】
自己巻き取り式命綱であって、
アンカーに連結されるように構成された第１のコネクタと、
前記命綱のユーザに連結されるように構成された第２のコネクタと、
ＳＲＬの動作を示す使用データを生成するように構成された１つ以上の電子センサと、
を備える自己巻き取り式命綱。
【請求項４】
前記ＳＲＬの前記動作を示す前記データを第２のデバイスに無線送信するように構成された通信ユニットを更に備える、請求項３に記載の自己巻き取り式命綱。
【請求項５】
前記通信ユニットは、前記ＳＲＬに関連する安全イベントの発生の可能性を予測するための１つ以上の安全モデルへの前記使用データの適用に基づくアラートデータを受信するように更に構成されており、前記ＳＲＬは、前記アラートデータに基づく出力を生成するように構成された出力ユニットを更に備える、請求項４に記載の自己巻き取り式命綱。
【請求項６】
前記通信ユニットは、前記ＳＲＬに関連する安全イベントの発生の可能性を予測するための安全モデルに基づく規則のセットを受信するように更に構成されており、前記デバイスは、前記規則を格納するように構成されたメモリと、前記使用データと前記規則との比較に基づき出力を生成するように構成された出力ユニットと、を更に備える、請求項４に記載の自己巻き取り式命綱。
【請求項７】
１つ以上のコンピュータプロセッサと、メモリと、を備えるコンピューティングデバイスであって、
前記メモリは、前記１つ以上のコンピュータプロセッサによって実行されると、前記１つ以上のコンピュータプロセッサに、少なくとも１つの自己巻き取り式命綱（ＳＲＬ）から前記少なくとも１つのＳＲＬの動作を示すデータを含む使用データを取得させる命令と、
前記使用データを前記少なくとも１つのＳＲＬのユーザの活動を特徴付ける安全モデルに適用させる命令と、
前記安全モデルへの前記使用データの適用に基づいて、前記少なくとも１つのＳＲＬに関連する安全イベントの発生の可能性を予測させる命令と、
前記安全イベントの前記発生の前記可能性の予測に応じた出力を生成させる命令と、を含む、コンピューティングデバイス。
【請求項８】
前記メモリは、前記１つ以上のコンピュータプロセッサによって実行されると、前記１つ以上のコンピュータプロセッサに、前記少なくとも１つのＳＲＬからの前記使用データに基づいて前記安全モデルを更新させる命令を含む、請求項７に記載のコンピューティングデバイス。